(57)【要約】【課題】  ハードディスクから光ディスクへのダビングを高速に行う。【解決手段】  一つの記録コンテンツに対し、記録レートの異なる2種類の記録レートでハードディスクへ記録する。この時、アナログ放送を記録する場合には、2種類のＭＰＥＧエンコーダ・デコーダの機能を持つＬＳＩを2個持ち、２種類の記録レートで記録する。或いは、例えば、ＨＤデジタル放送でのように、ＨＤモードの画像データがそのまま配信されるものでは、デジタル放送を再生あるいは、ハードディスクに記録するときに、ＨＤモードそのものと、ＨＤモードをＳＤモードにダウンコンバートしながらハードディスクに記録する。ユーザから上記記録コンテンツの光ディスクへのダビング要求があった場合、どちらか一方の記録レートを記録するのとほぼ同時に片方、あるいは両方の記録情報を消去する。【選択図】  図１
2005182906.tif 000002
【特許請求の範囲】
【請求項１】
外部からの映像あるいは音声情報をハードディスクに記録するための映像あるいは音声データに変換する、或いは、ハードディスクからの映像あるいは音声データを、外部へ出力するための映像あるいは音声情報に変換する情報変換手段と、ハードディスク上に前記映像或いは音声データを記録する記録手段と，ハードディスク上の前記映像或いは音声データを再生する再生手段と、を有する映像あるいは音声記録再生装置において、
上記映像あるいは音声情報を少なくとも２種類以上の記録レートの異なる映像或いは音声データに変換し、ハードディスク上にその両データを記録すると共に、その記録レートが、ひとつ目の記録レートが平均3Mbps以上、ふたつ目の記録レートが平均6Mbps以上で、ハードディスクに記録することを特徴とした映像あるいは音声記録再生装置。
【請求項２】
請求項１の映像あるいは音声記録再生装置において、
ハードディスク上の前記映像或いは音声データを光ディスクに記録するための記録再生手段を有し、
前記２種類の映像あるいは音声データのうち、一種類を光ディスクに記録することを特徴とした映像あるいは音声記録再生装置。
【請求項３】
上記請求項１あるいは２記載の映像あるいは音声記録再生装置において、
上記請求項１記載の少なくとも２種類以上の映像あるいは音声データのうち、少なくともひとつの記録レートの映像或いは音声データが、光ディスク１枚にほぼ収まる程度の容量であることを特徴とした映像あるいは音声記録再生装置。
【請求項４】
上記請求項１あるいは２記載の映像あるいは音声記録再生装置において、
上記請求項１記載の少なくとも２種類以上の映像あるいは音声データのうち、平均記録レートが高い方の映像或いは音声データの記録容量が、光ディスク１枚に収まる容量以下の場合、平均記録レートの低い方の映像或いは音声データを、ユーザの消去要求、或いは光ディスクへの記録要求に関わらず、ハードディスクから消去することを特徴とした映像あるいは音声記録再生装置。
【請求項５】
上記請求項１記載の映像あるいは音声記録再生装置において、
上記請求項１記載の少なくとも２種類以上の映像あるいは音声データのうち、平均記録レートが高い方の映像或いは音声データの記録容量が、光ディスク１枚に収まらない容量の場合、該２種類の映像或いは音声データを、ユーザの消去要求、あるいは光ディスクへの記録要求がない限り、ハードディスク上にデータを残すことを特徴とした映像あるいは音声記録再生装置。
【請求項６】
上記請求項１記載の映像あるいは音声記録再生装置において、１種類の映像あるいは音声データを光ディスクに記録した場合、該記録レートの情報をハードディスク上から消去することを特徴とした映像あるいは音声記録再生装置。
【請求項７】
上記請求項２記載の映像あるいは音声記録再生装置において、１種類の映像あるいは音声データを光ディスクに記録した場合、該記録レートと共に、もう一つ別の記録レートのデータの、計２種類の情報をハードディスク上から消去することを特徴とした映像あるいは音声記録再生装置。
【請求項８】
上記請求項２ならびに、５、６または７記載の映像あるいは音声記録再生装置において、映像あるいは音声データを光ディスクに記録した場合、記録と共にハードディスク上から映像或いは音声データを消去することを、ひとつの集積回路内で行うことを特徴とした映像あるいは音声記録再生装置。
【発明の詳細な説明】
【技術分野】
【０００１】
本発明は、映像あるいは音声記録再生装置における、映像あるいは音声の保存の方法に関するものである。
【背景技術】
【０００２】
近年、映像及び音声情報の世界における映像及び音声のデジタル化、及び、映像及び音声データの圧縮技術の向上により、ＶＴＲをはじめとするテープ記録から、ＤＶＤディスク、ハードディスク等のディスク記録への移行が、急速に行われつつある。その代表的なものとして、ハードディスクドライブとＤＶＤドライブとが混在するハードディスク＆ＤＶＤハイブリッドレコーダである。
【０００３】
これは、例えば、放送局から、あるいは外部入力端子からの映像或いは音声情報を一旦ハードディスクに記録した後、保存したい場合にＤＶＤディスクにバックアップ他で記録する、いわゆるダビングを行うもので、近年各社から発売され、今後大きな市場に成長する製品である。ここで、ハードディスクは８０ＧＢから数百ＧＢの容量を持っているが、例えば、ＤＶＤディスクはディスク1枚当たり、約４．７ＧＢ程度の容量になる。
【０００４】
ＤＶＤディスクには、例えば、映画等の映像用の光ディスクであるディジタルビデオディスク（以下ＤＶＤ−Ｖｉｄｅｏと略す）、或いはコンピューター用途としてアプリケーションソフト、ゲームソフト、各種データ記録用に応用されたＤＶＤ−ＲＯＭがその代表的なものである。或いは個人情報のバックアップ記録、ＶＴＲの置き換えのＤＶＤレコーダ用として、ＤＶＤ−ＲＡＭ、ＤＶＤ±ＲＷ、ＤＶＤ±Ｒ等の光ディスクを使った書き換え可能な光記録媒体がある。
【０００５】
一方、地上波デジタル放送を含め、ハイビジョン放送をはじめとした高品位の映像あるいは音声のコンテンツが配信されつつあり、これら高画質あるいは高音質の情報を記録する要求が高まるのと同時に、当然これらコンテンツに対するダビング要求もある。
【０００６】
従来技術で、例えばハードディスクレコーダ等において、複数のチャンネルの映像或いは音声データを、同時にハードディスクに記録する方法に関するもの、或いは、例えばデジタルカメラ等において、静止画情報を、2つの圧縮方式で記録する方法に関するものがある。この例としては、特許文献１、特許文献２がある。
しかし、これらはダビング用途に対する技術ではない。
【０００７】
【特許文献１】特開２００２−３４４８９２号公報
【０００８】
【特許文献２】特開２００１−２４９２９号公報
【発明の開示】
【発明が解決しようとする課題】
【０００９】
上述のように、地上波デジタル放送を含め、ハイビジョン放送をはじめとした高品位の映像あるいは音声のコンテンツが配信されつつあり、高画質あるいは高音質の情報を記録する要求が高まっている。しかしながら、高画質あるいは高音質の情報は、それだけ情報量が多く、例えばＳＤ（Standard Definition）品質の音声付画像データ（画像及び音声を圧縮した結果の記録レートが、おおよそ2〜10Mbps（メガビット／秒）程度の品質の音声付画像データ）は、最大10Mbpsの可変記録レートで記録したとしても、平均記録レートを約5Mbps程度で記録すれば、例えば2時間番組でも約4.7GB（4.7ギガバイト）の情報量（5Mbps*3600秒*2時間／8bit=4.5GB）になるため１２ｃｍのＤＶＤディスク1枚に記録することが可能になる。
【００１０】
しかしながら、ＨＤ(High Definition)放送の場合、高画質を謳っているため、その記録レートは通常25Mbps程度あり、圧縮率を大きく稼いだとしても、画質とのバランスから、平均記録レートが15Mbpsを下回ることは無い。従って、ＤＶＤディスク1枚に記録することは出来ない。
しかしながら、ＨＤ放送でも、ユーザの見るディスプレイ、プレーヤ等の再生環境、コンテンツの内容等で、ユーザは画質が多少悪くても、1枚のＤＶＤディスクに記録したい要求はある。この場合、ユーザはハードディスクにＨＤモードで記録されているものを、一旦ＳＤモードの記録にダウンコンバート（記録レートを、25Mbpsから5Mbps程度に変換すること。但し、画質は多少劣化する。）した後にＤＶＤディスクに記録することになる。
【００１１】
また、ＨＤモードは、現行ＤＶＤプレーヤで再生することは出来ないため、上記容量以外の問題で、ＳＤモードへのダウンコンバート、及び、ＤＶＤビデオフォーマットへの変換が必要になる。ＨＤモードからＳＤモードへのダウンコンバートは、ＨＤモードで圧縮された音声付画像データを一旦元の音声付画像情報に戻した後に、ＳＤモードの高圧縮の音声付画像データに再圧縮処理を施す工程が必要なため、高速の上記音声付画像データへの圧縮伸長が可能なＬＳＩを持ってきたとしても、高々数十Mbps程度の速度でのダビングになるため、ダビング時間が非常にかかってしまう。
【００１２】
これとは別に、ＨＤモードでそのまま記録可能なＢｌｕ−ｒａｙディスク等の高密度媒体も世の中に出回り始めているが、この記録容量は、ディスク一枚当たり25GB程度なので、例えば25Mbpsの記録レートのＨＤのコンテンツの場合、2時間半のコンテンツでは、28GBの容量（25Mbps*3600秒*2.5時間／8bit=28GB）が必要なため、同じく1枚に記録するためにはＨＤモード間のダウンコンバートが必要になる。このダウンコンバートでも、その速度は高々数十Mbps程度にしかならない。
【００１３】
これに対し、近年、ハードディスクの記録速度は、例えば５４００ｒｐｍ程度の低価格３．５インチハードディスクでも、記録速度は最大500Mbps程度は十分有り、また、ＤＶＤディスクへの記録も、従来では1倍速記録11.08Mbpsのものが、近年、8倍速、16倍速と、高倍速記録技術が開発されるのに従って、例えば、16倍速記録では、177Mbpsと高速になっており、上述のダウンコンバート時間がさらに高速ダビングのボトルネックになってしまう。
【００１４】
また、上記コンテンツが著作権保護されたコンテンツの場合、ハードディスクからＤＶＤ等の光ディスクへダビングする際、ハードディスク上のコンテンツを消去する必要があり、これに対して上記2つのストリームをハードディスクへ記録した場合の消去の方法についても課題となる。
本発明の課題は、ハードディスクへ記録したコンテンツを、ＤＶＤ或いは、Ｂｌｕ−ｒａｙ等の取り出し可能な光ディスクへ、高速にダビングをすることを可能にした映像或いは音声記録装置を提供することである。
【課題を解決するための手段】
【００１５】
前記課題を解決するため、本発明の映像或いは音声記録装置は、外部アナログ入力、或いはデジタル入力された映像或いは音声コンテンツを、2種類の記録レートの異なるデータに変換し、ハードディスクへ記録するようにした。ＳＤモードで、2時間以上のコンテンツをＤＶＤディスク1枚に記録できるような平均5Mbps程度の記録レートと、ＳＤモードで高画質な平均8Mbps程度の記録レートの2つの記録レートでハードディスクへ記録する。
【００１６】
あるいは、一方をＨＤモード等の高画質データ、もう一方を例えばダビング先のＤＶＤディスク1枚にデータが収まる程度の圧縮率程度の記録レートであるＳＤモードとする。
【００１７】
その後、ユーザがダビング要求した場合に、上記2種類のうちのどちらか一方のデータをダビング先の例えばＤＶＤディスクなどの光ディスクに記録するようにし、ダウンコンバートが発生しないようにすることで、いつでも高速ダビングが出来るようにした。
【００１８】
上記を実現するために、例えばＭＰＥＧエンコーダ・デコーダの機能を持つＬＳＩの低価格化を考慮し、一つのレコーダに、2種類のＭＰＥＧエンコーダ・デコーダの機能を持つＬＳＩを2個持ち、アナログ放送を、２種類の記録レート（例えば、平均5Mbps程度の標準画質のものと、平均8Mbps程度の高画質モードの２種類）で記録する。
【００１９】
或いは、例えば今後のＨＤ対応に伴うＭＰＥＧエンコーダ・デコーダの高性能化に伴い、そのエンコード処理、デコード処理は、25Mbps以上を処理することになるため、上述のＳＤモードの処理の場合、2種類の記録レート（例えば8Mbps程度のものと、5Mbpsのものならば、加算しても13Mbps程度）の処理においても最大25Mbps以下であるので、1つのエンコーダにおいて、例えば時間軸方向に分割し、2種類の記録レートのものを1つのエンコーダ・デコーダにより処理を行う。
【００２０】
或いは、例えば、ＨＤデジタル放送では、ＨＤモードの画像データがそのまま配信されるので、デジタル放送はそのままＨＤモードでハードディスクに記録すると共に、ＤＶＤディスクに1枚で記録するために、ＨＤモードをＳＤモードにダウンコンバートしながらハードディスクに記録する。
【００２１】
或いは、例えば、ＨＤデジタル放送を、Ｂｌｕ−ｒａｙディスクに1枚で記録するためにダウンコンバートする場合は、ＨＤ対応ＭＰＥＧエンコーダ・デコーダの性能をフルに使いながら、放送されるＨＤモードから、ディスク１枚に記録できるＨＤモードへのダウンコンバートしながら同じくハードディスクに記録する。放送（配信）されるＨＤモードの画像データは、そのままハードディスクに記録する。
【００２２】
この際、ハードディスクへの記録速度は、例えばディスク回転数が５４００ｒｐｍ程度の低価格３．５インチハードディスクでも、記録速度は最大500Mbps程度は出るため、25Mbps程度のＨＤ放送の記録と、ダウンコンバートされた平均５Ｍｂｐｓ程度のＳＤ記録の両方を記録したとしても、十分な記録速度は得られる。
あるいは、例えばＳＤモードで同じコンテンツを2種類記録したとしても、記録は最大10Mbps程度の可変レートで、平均8Mbps程度の記録速度でＭＰＥＧエンコードしたものと、平均5Mbps程度のエンコードしたものを、ハードディスクへ2種類同時に記録することは容易である。
【００２３】
また、少なくとも2種類以上の映像あるいは音声データのうち、平均記録レートが高い方の映像或いは音声データの記録容量が、光ディスク1枚に収まる容量以下の場合、平均記録レートの低い方の映像或いは音声データを、ユーザの消去要求、或いは光ディスクへの記録要求に関わらず、ハードディスクから消去する。
【００２４】
次に、著作権保護がされたコンテンツに対し、ユーザがダビング要求をした場合、ユーザが1枚のＤＶＤディスクに記録を行いたい場合には、低記録レートの記録でＤＶＤディスクへ記録する。この時はハードディスクの情報は、消去する場合と、消去しない場合に分ける。
例えばデジタルチューナーから配信されたコンテンツのように、映像または音声情報が、著作権等により、記録制限されたコンテンツの場合、コピープロテクション機能が必要になる。そこで、ハードディスクへの記録はローカルコピープロテクションキーを付加して記録する。ＤＶＤディスク上へはＣＰＲＭに記録し、コピープロテクションを行う。Ｂｌｕ−ｒａｙディスクにおいても同様のコピープロテクションキーを付加して記録する。
この場合、ユーザがダビング要求をした場合、ハードディスクからのコピーを一回だけにするため、ＤＶＤあるいはＢｌｕ−ｒａｙディスクへ記録した後は、上記コンテンツは、ハードディスク上から消去させる。
上記場合において、例えばコンテンツがＨＤ品質のものをハードディスクへ、2種類の記録品質で記録していた場合、その高い品質の記録データをＤＶＤあるいはＢｌｕ−ｒａｙディスクへダビングする場合には、ユーザには表示せずにそのまま2つのストリームとも消去する。ＨＤ品質のものを、ＳＤ品質でダビングする場合には、ユーザにはその旨をディスプレイ画面上のグラフィカル・ユーザ・インターフェース（ＧＵＩ）等により表示し、確認させ、ＯＫならば、両方を消去する。
或いは、片方のＳＤモードで記録されたデータみを消去し、もう片方のＨＤモードの高品質の情報は、その高品質の情報に対しダビング要求された場合に限り、消去を行ってもよい。
これら、ハードディスク上のデータへのコピープロテクションキーの付加、開錠制御、ハードディスク上のデータの光ディスクへのダビング制御、光ディスクへのコピープロテクションキーの付加、開錠制御は、外部からの不正な変更等を行うことを防止するために、1つのＬＳＩの中に集積する。
上記2つの記録品質のデータをハードディスクに記録する場合、低品質のデータは、消去される確率が高いため、ハードディスクの領域の一部をリングバッファのように使い、比較的に記録、消去を繰り返すような使い方をすることで、ハードディスク内のフラグメーションをできるだけ抑えるように記録する。
上記では、ＤＶＤディスクに対しての記載であるが、これに限ることは無く、例えばＣＤ、或いは、Ｂｌｕ−ｒａｙディスクをはじめとする、光記録媒体であっても、フラッシュメモリーをはじめとする、半導体メモリであってもよい。
【発明の効果】
【００２５】
ハードディスクのデータを光ディスクに高速にダビングできる。また、例えば著作権保護されたコンテンツに対しても、その保護機能を有しながら、ユーザに対し、高速ダビング要求を満足できる等の効果がある。
【発明を実施するための最良の形態】
【００２６】
以下、本発明の一実施例を、図１、２、３を用いて説明する。
図１は本発明の一実施例である映像或いは音声記録再生装置1(図中の破線内を示す)の概略構成である。
画像または音声情報変換手段２は、Ｖｉｄｅｏ  ＩＮ等の外部アナログ信号を、例えばＭＰＥＧ方式で圧縮エンコード処理して画像或いは音声情報をデジタルデータに変換、或いはＭＰＥＧ方式のデジタルデータをデコード処理してアナログ信号に変換等を行ない、Ｖｉｄｅｏ  ＯＵＴ等の外部アナログ端子よりモニター等へ出力する。
【００２７】
画像または音声データ変換手段３は、デジタル変換された映像或いは音声データを、記録媒体例えば、ハードディスク或いは光ディスク上に記録するデータに変換する手段であり、ディスク装置に応じたＥＣＣ付加、変復調等の処理を行う。地上波デジタルチューナーからの信号はすでにデジタル変換されているので、そのまま上記画像または音声データ変換手段３に入力される。暗号付加／解読手段１０は、前記映像または音声情報が、著作権等により記録制限された情報の場合、それに応じた暗号処理を施し、ハードディスク記録再生手段１１でアナログ信号に変換した後、磁気ヘッド１２を通し、ハードディスク１３に記録する。
【００２８】
例えば、ユーザがダビング要求を行った場合、ハードディスク１３上の記録情報を磁気ヘッド１２で読み出し、記録再生手段１１で再生信号に変更した後暗号付加／解読手段１０、画像または音声データ変換手段３でハードディスクデータをＤＶＤデータに変換した後、ＤＶＤの暗号付加／解読手段５でＤＶＤの例えばＣＰＲＭ等の暗号付加した後、ＤＶＤの記録再生手段６で、記録信号に変換した後、光ヘッド７よりＤＶＤディスクに記録する。
【００２９】
ユーザの要求、あるいは著作権制限のコンテンツの場合、光ディスクへ記録すると同時にハードディスク内の記録データを消去する場合には、データ消去手段９により、ハードディスクへ例えば“００”データのような、意味のないデータを該ハードディスクに記録されていた箇所に上書きすることで、ハードディスク上から完全にデータを消去する。記憶手段４は、上記記録レートの異なる記録、あるいは、ハードディスク、光ディスクへの記録タイミングを補正するために一時的に記録データのバッファリングとして使用する。５および、１０の暗号付加／解読手段は、画像または音声データ変換手段３の内部にあり、それぞれ変調、復調処理、ＥＣＣ付加／訂正処理等一連のデータ処理中に行う処理であり、処理の順番は特に指定は無く、これら処理中に行えばよい。
【００３０】
地上波デジタル放送を含め、ハイビジョン放送をはじめとした高品位の映像あるいは音声のコンテンツが配信されつつある現状では、高画質あるいは高音質の情報を記録する要求が高まっている。しかしながら、高画質あるいは高音質の情報は、それだけ情報量が多い。上述したように、例えばＳＤ品質の音声付画像データは、最大10Mbpsの可変記録レートで記録したとしても、平均記録レートを約5Mbps程度で記録すれば、2時間番組でも最大約４．７ＧＢの情報量になるため、４．７ＧＢの容量を持つ１２ｃｍのＤＶＤディスク1枚に記録することが可能になる。
【００３１】
しかしながら、ＨＤ放送の場合、圧縮率を大きく稼いだとしても、画質とのバランスから、平均15Mbpsを下回ることは無い。従って、ＤＶＤディスク1枚に記録することは出来ない。近年開発が進んでいるＢｌｕ−ｒａｙディスクの場合、ディスク1枚で２８ＧＢ程度までは記録できるが、この場合でも例えばＨＤの高画質モードの25Mbpsの記録レートの場合、2時間半以上のコンテンツには1枚で記録することは出来ない。
【００３２】
しかしながら、ＨＤ放送でも、ユーザの見るディスプレイ環境、コンテンツの内容等で、ユーザは画質が多少悪くても、1枚のディスクに記録したい要求はある。この場合、ユーザはハードディスクにＨＤモードで記録されているものを、一旦ＳＤモードの記録にダウンコンバートした後にＤＶＤディスクに記録することになり、このコンバートに要する時間が余計にかかるため、ダビング時間が非常にかかってしまう。実際、このコンバート時間を予測すると、例えば、ＨＤのデコーダと，ＳＤのエンコーダにより、25MbpsのＨＤモードの画像を、平均5MbpsのＳＤモードの画像に変換する場合を想定した場合、ＨＤのデコーダは高々25Mbpsでデコード処理が可能で、ＳＤのエンコード処理が、例えばＨＤのエンコード処理が可能な高速のエンコーダとしても、高々25Mbpsの速度でエンコード処理出来たとして、平均5Mbpsの画像は、５倍の25Mbpsでエンコード処理が出来ることになる。
【００３３】
一方、ハードディスクの記録速度は、例えばディスク回転数が５４００ｒｐｍ程度の低価格３．５インチハードディスクでも、記録速度は最大500Mbps程度は十分有り、また、ＤＶＤ記録も、従来では1倍速記録11Mbpsのものが、近年、8倍速、16倍速と、高倍速記録技術が開発されるのに従って、例えば、16倍速記録では、176Mbpsと高速になっており、例えば平均１０倍速（記録速度121Mbpsとして）で記録できるＤＶＤレコーダにダビングした場合、２時間４．７ＧＢの情報のダビング時間は4.7GB/121Mbps=4.7*1000*8/121=310秒となり、約５分強でダウンロードできることになる。ところが，ＨＤ放送をＳＤにダウンコンバートしながら記録した場合には、上述のダウンコンバート処理が最大でも25Mbpsになるため、そのダビング時間は4.7GB/25Mbps=4.7*1000*8/25=1504秒となり、約２５分もかかってしまうことになる。従って、上述のダウンコンバート時間が高速ダビングのボトルネックになってしまう。
【００３４】
そこで、本実施例では、高速ダビングを可能にするため、画像または音声情報変換手段２であるＭＰＥＧエンコーダ・デコーダの機能を持つＬＳＩの低価格化を考慮し、一つのレコーダに、ＭＰＥＧエンコーダ・デコーダの機能を持つＬＳＩを2個持ち、アナログ放送を、２種類の記録レート（例えば、平均5Mbps程度の標準画質のものと、平均8Mbps程度の高画質モードの２種類）で記録する。
【００３５】
或いは、今後のＨＤ対応に伴うＭＰＥＧエンコーダ・デコーダの高性能化に伴い、そのエンコード処理、デコード処理は、25Mbps以上を処理することになるため、上述のＳＤモードの処理の場合、2種類の記録レートの処理は単純に平均13Mbps(平均5Mbps＋平均8Mbpsの時間軸分割処理のため)程度のエンコード処理になるため、上記25Mbpsのエンコード処理が可能ならば、1つのエンコーダにおいて、例えば時間軸方向に分割し、処理は可能となる。
【００３６】
上記処理は、画像または音声情報変換手段２の中で行う。従い、入力されたデータに対し、2つの種類の映像あるいは音声データが作られることになり、これが画像または音声データ変換手段３に入力される。映像あるいは音声データ変換手段では、上記2種類のデータを、ハードディスクに記録できるデータに変換するため、ＥＣＣ付加、変調等を行う。このとき、2種類の異なる映像あるいは音声データは、時分割し、処理した後、ハードディスクの別のエリアへそれぞれ記録される。
【００３７】
ＨＤデジタル放送では、ＨＤモードのＭＰＥＧ圧縮された画像データがそのまま配信されるので、入力は３の映像あるいは音声データ処理手段になるが、ＨＤモードの記録レートは最低でも１５Ｍｂｐｓ以上のため、例えば1枚当たり４．７ＧＢの記録容量のＤＶＤディスクには４０分以上ＨＤモードの記録コンテンツは記録できない。従って、ＤＶＤディスク1枚に記録可能にするため、ＨＤモードをＳＤモードにダウンコンバートする必要がある。このため、ＨＤモードの記録データを一旦映像あるいは音声情報変換手段２へ入力し、ＳＤモードへダウンコンバート処理を行う。この処理は、例えばＨＤモードで配信された25Mbpsのコンテンツを、画像または音声情報変換手段２に入力し、一旦デコード処理した後に、例えば平均記録レートが5Mbps程度のＳＤモードに再エンコード処理を行い、その後、映像あるいは音声データ処理手段３へ送られ、ハードディスクへ記録するためのＥＣＣ付加、変調を行う。こうすることにより、ＨＤモードで配信されたコンテンツをＤＶＤプレーヤで再生できるＳＤモードに変換するのと同時に、1枚のＤＶＤディスクに記録できる情報にすることが出来る。
【００３８】
ハードディスクの記録速度は、例えば５４００ｒｐｍ程度の低価格３．５インチハードディスクでも、記録速度は最大500Mbps程度は出るため、25Mbps程度のＨＤ放送の記録と、ダウンコンバートされた平均5Mbps程度のＳＤモードの両方を記録したとしても、十分記録は可能である。また、上記2つの記録速度のデータに変換する処理時間に対しても、コンテンツ配信はＨＤデジタル放送でも25Mbps程度のリアルタイム配信なので、上記処理は十分行うことは可能である。
【００３９】
図３は、上記２つのモードで記録した場合の時間軸方向の処理状態を示す。この場合は、ＨＤモードを記録する場合を示している。ＨＤコンテンツの記録開始１６に従い、時間軸上少し遅れたところからＨＤ情報を、ＳＤへダウンコンバートする処理１７が開始する。これは、ＨＤモードのデータを一旦デコード処理した後に、ＳＤモードへ再エンコード処理をするため、その時間差が現れている。処理されたＳＤデータと、元のＨＤデータは、一時的に４の記憶手段に蓄積される。４の記憶手段にある程度ＨＤデータ、及び、ダウンコンバートされたＳＤデータが蓄積された所でハードディスクへＨＤモードでの記録１８、ＳＤモードへの記録１９を開始する。
【００４０】
ＳＤモードで同じコンテンツを2種類記録したとした場合は、記録は最大10Mbps程度の可変レートで、平均8Mbps程度の記録速度でＭＰＥＧエンコードしたものと、平均5Mbps程度のエンコードしたものを、ハードディスクへ2種類同時に記録することになる。上記ではコンテンツの長さによらず2種類の記録レートで記録する場合を記載しているが、これに限ることは無く、例えば、ユーザが1種類の記録レートのみの記録を要求する場合には、はじめから1種類の記録レートでのみハードディスクへ記録する。
【００４１】
あるいは、2種類で記録したとしても、そのコンテンツの長さによっては、高品質の記録レートのみを残し、低レートの記録データは、ユーザ要求に関係なく、あらかじめ消去してもよい。従って、上記2つの記録品質のデータをハードディスクに記録する場合、低品質のデータは、消去される確率が高いため、ハードディスクの領域の一部をリングバッファのように使い、比較的に記録、消去を繰り返すような使い方をすることで、ハードディスク内のフラグメーションをできるだけ抑えるように記録してもよい。
【００４２】
上記の制御は１４のコントローラで行う。
上記では、ＤＶＤディスクに対しての記載であるが、これに限ることは無く、例えばＣＤ、或いは、Blu-rayディスクをはじめとする、光記録媒体であっても、フラッシュメモリーをはじめとする、半導体メモリであってもよい。また、上記では２種類の記録レートへ記録する媒体をハードディスクとした場合について記載しているが、これに限ることはなく、例えば半導体メモリ等に記録してもよい。
【００４３】
また、上記では、ひとつのコンテンツを2種類の異なる記録速度のデータに変換する場合を示しているが、これに限ることは無く、例えば、2つのＭＰＥＧ２のストリームと、１つのＭＰＥＧ４のストリームの計３ストリームに変換してもよい。
【００４４】
この場合、ＭＰＥＧ２ストリームは、光ディスクへの記録用、携帯端末でコンテンツを再生する目的で、高圧縮のＭＰＥＧ４ストリームは例えばＳＤカード等の半導体メモリへ記録してもよい。また、上記ではＭＰＥＧ２のストリームは２種類に記録されている場合を示しているが、これに限ることは無く、例えば、週間番組で、１時間番組を１週間で１枚に記録する場合の長時間モード、２枚に記録する場合の標準モード、１枚に記録する高画質モードの３つのモードをダウンコンバートしながら記録してもよい。
【００４５】
次に、ユーザが、ハードディスクからＤＶＤへのダビング要求が出た場合について述べる。
ユーザがダビング要求した場合、その要求されたコンテンツが著作権保護されていないコンテンツの場合で、ユーザが1枚のＤＶＤディスクに記録することを要求した場合、ハードディスク１３へ記録されている２種類の記録データのうち、低レートの記録データをＤＶＤディスク８に記録する。この場合、ハードディスクに記録されている低レートの記録データを、磁気ヘッド１２が読み出したアナログ信号を、記録再生手段１１で２値化し、画像または音声データ変換手段３で復調、ＥＣＣ訂正処理を施した後、ＤＶＤフォーマットに変換、ＥＣＣ付加、変調処理を行った後、記録再生手段６でアナログ信号に変換し、７の光ヘッドを介し、ＤＶＤディスク上へ記録する。
【００４６】
ユーザが、高品質の記録を要求した場合にはハードディスクへ記録されている２種類の記録データのうち、高レートの記録データを同様にしてＤＶＤディスクへ記録する。この場合、ユーザがハードディスク上の記録データを消去する要求をしない限り、ハードディスクのデータはそのままハードディスク内に保持する。低レートの記録データがハードディスクの一部のリングバッファ上にある場合は、ユーザ要求により、ハードディスクの別の領域に記録し直してもよい。
【００４７】
次に、記録コンテンツが著作権保護されている場合について述べる。ユーザがダビング要求をした場合、ユーザが1枚のＤＶＤディスクに記録を行いたい場合には、低レートの記録でＤＶＤディスクへ記録する。この時はハードディスクの情報は、消去する場合と、消去しない場合に分ける。
【００４８】
例えばデジタルチューナーから配信されたコンテンツのように、映像または音声情報が、著作権等により、記録制限されたコンテンツの場合、コピープロテクション機能が必要になる。そこで、ハードディスクへの記録はハードディスク暗号付加／解読手段１０でローカルコピープロテクションキーを付加して記録する。ＤＶＤディスク上へは光ディスク暗号付加／解読手段５でＣＰＲＭに記録し、コピープロテクションを行う。
【００４９】
著作権保護されたコンテンツは、一つのコピーだけを許すため、ユーザがダビング要求をした場合、光ディスクに記録した後はハードディスク上の記録データは消去する必要がある。しかしながら、例えば低品質のものをダビングした場合には、高画質のものまで消去する必要がない場合も有る。但し、高画質のものを記録した場合は両方消去する必要がある。
【００５０】
上記を具体的にすると、例えば記録コンテンツがＨＤ品質のものであり、ハードディスクへＨＤとＳＤの2種類の記録品質で記録していた場合、その高い品質の記録データをＤＶＤへダビングする場合には、ユーザには表示せずにそのまま2つのストリームとも消去する。ＨＤ品質のものを、ＳＤ品質でダビングする場合には、ユーザにはその旨をＧＵＩ等により表示し、確認させ、ＯＫならば、両方を消去する。或いは、ＨＤモードでも、ＳＤモードでも関係なく、片方のダビング要求があった場合には、両方の記録モードのデータを消去してもよい。
【００５１】
または、記録品質によって、ＨＤモードのダビング要求のときは、ＨＤモードの記録データを消去、ＳＤモードのダビング要求では、ＳＤモードの記録データの消去のみを行って、もう片方の記録データはそのままハードディスク上に消去せずに残してもよい。
【００５２】
ハードディスク上の記録データの消去は、一般のハードディスク上のファイル消去のように、管理情報のみの消去ではなく、映像あるいは音声データそのものに、例えば“００”データを上書きするなどして、確実に消去し、不正利用を防止する。これらの消去は、９のデータ消去手段より“００”データを作成し、１１の記録再生手段へ送り、磁気ヘッドを介し、ハードディスク上に記録（消去信号を記録）する。
【００５３】
上記の一連の制御は、コピー防止が主な目的であるため、出来るだけ外部から改ざんされないようにするのが良い。この目的を達成するのには、これら一連の制御、手段が、1つのＬＳＩの中に集積した方が、外部からの装置の不正な変更を行わなく出来るのでよい。
【００５４】
図２は、これを目的にしたＬＳＩ構成を示した図である。図中１５が、統合１チップのＬＳＩ構成を示したものであり、この構成のように、ＤＶＤおよび、ハードディスクの暗号付加／解読手段が、映像或いは音声データ変換手段３とともに内蔵されたＬＳＩ構成となるので、外部からの改ざんはほぼ不可能になる。
【００５５】
上記では、ダビングは記録コンテンツをハードディスクへ記録した後に行う場合について記載しているが、これに限ることは無く、上述したように、ハードディスクは、低レート、及び、高レートの記録コンテンツをハードディスクへ記録していても、ハードディスクへの再生アクセスも十分出来る程度の記録及び再生速度を持つため、例えば、記録コンテンツの記録途中からユーザがダビング要求したとしても、記録と同時に途中からのダビングを行い、記録コンテンツ終了とほぼ同じ時期にダビングを終了するといった使い勝手のよい使い方を行うことも可能になる。
【００５６】
以上述べたことから明らかなように、本実施例では、一つの記録コンテンツに対し、記録レートの異なる2種類の記録レートでハードディスクへ記録する。この時、少なくとも一方の記録レートは、該記録コンテンツが搭載する光ディスク１枚に記録可能な容量になる記録レートにする。さらに、ユーザから上記記録コンテンツを、光ディスク1枚にダビングを行う要求があった場合、光ディスク1枚に記録可能な記録レートで、光ディスクへダビングする。さらに、記録コンテンツが著作権保護されたコンテンツの場合、上記2種類の記録レートでハードディスクに記録された記録データのうち、どちらか一方の記録レートのダビングを行うのとほぼ同時に、前期2種類の記録データのうち少なくとも1つのデータをハードディスクから消去する。あるいは、両方の記録データを消去する。等を行うことが出来る。
【００５７】
従って、ユーザは、ハードディスクのデータを光ディスクに高速にダビングできるのと同時に、例えば著作権保護されたコンテンツに対しても、その保護機能を有しながら、ユーザに対し、高速ダビング要求を満足できる等の効果がある。
【図面の簡単な説明】
【００５８】
【図１】本発明の一実施例のシステムブロック図である。
【図２】本発明の別の実施例のシステムブロック図である。
【図３】ハードディスクへの記録制御を示す図。
【符号の説明】
【００５９】
１・・映像或いは音声記録再生装置、      ２・・映像または音声情報変換手段、
３・・映像または音声データ変換手段、      ４・・記憶手段、
５・・光ディスクの暗号付加／解読手段、    ６・・光ディスクの記録再生手段、
７・・光ヘッド、      ８・・光ディスク、        
９・・ハードディスク上のデータ消去手段、
１０・・ハードディスクの暗号付加／解読手段、    
１１・・ハードディスクの記録再生手段、      １２・・磁気ヘッド、
１３・・ハードディスク、  １４・・コントローラ、
１５・・統合1チップＬＳＩ、      １６・・ＨＤモードの記録、
１７・・ＳＤモードへのダウンコンバート、      
１８・・ハードディスクへＨＤデータの記録、
１９・・ハードディスクへＳＤデータの記録。
【図１】
2005182906.tif 000003
【図２】
2005182906.tif 000004
【図３】
2005182906.tif 000005